(57)【要約】      （修正有）【課題】１人の清掃員のみで清掃具と水を用いて掃除をすることを可能とする清掃具用補助器具を提供することである。【解決手段】清掃具用補助器具１０は、清掃員が把持するための把持棒部２と、把持棒部２の先端に設けられる清掃部材４とを有する箒１の把持棒部２に着脱可能な延伸部１２と、延伸部１２の先端に設けられる散水ノズル部２０と、を備え、延伸部１２は、水道水を流通させるための延伸ホース部に嵌合可能な嵌合部１４を有し、散水ノズル部２０は、水道水を散水させる方向を変更可能な角度調整機構１８を有することを特徴とする。【選択図】図１
2019098105.tif 000002
【特許請求の範囲】
【請求項１】
ユーザーが把持するための把持棒部と、前記把持棒部の先端に設けられる清掃部材とを有する清掃具の前記把持棒部に着脱可能な延伸部と、
前記延伸部の先端に設けられる散水ノズル部と、
を備え、
前記延伸部は、水道水を流通させるための延伸ホース部に嵌合可能な嵌合部を有し、
前記散水ノズル部は、前記水道水を散水させる方向を変更可能な角度調整機構を有することを特徴とする清掃具用補助器具。
【請求項２】
請求項１に記載の清掃具用補助器具において、
前記延伸部は、前記把持棒部に対して押圧力を与えることで前記把持棒部に装着し、前記押圧力と反対方向の引っ張り力を与えることで前記把持棒部から取り外し可能な着脱機構を有することを特徴とする清掃具用補助器具。
【請求項３】
請求項１または請求項２に記載の清掃具用補助器具において、
前記角度調整機構は、前記ユーザーが前記把持棒部を把持して前記清掃具を用いて塵を掃く際に前記清掃部材の移動方向における前記清掃部材の前方に前記水道水を散水させるような角度に固定可能であることを特徴とする清掃具用補助器具。
【発明の詳細な説明】
【技術分野】
【０００１】
本発明は、清掃具用補助器具に関する。
【背景技術】
【０００２】
従来、箒やデッキブラシなどで溝などの掃除を行っている。例えば、溝内に溜まった枯葉などを掃除する際には、清掃員が箒とともに水道ホースを用いて水圧で枯葉を吹き飛ばしながら箒で溝内の塵を清掃することがある。
【０００３】
本発明に関連する技術として、例えば、特許文献１には、通孔を有する歯ブラシと、蒸気発生器と、該蒸気発生器で発生された蒸気を前記歯ブラシに送給する蒸気送給ホースとから成り、前記蒸気発生器で発生された蒸気を前記蒸気送給を通して前記歯ブラシに送給して該歯ブラシのブラシ部より噴射するようにした蒸気噴射機能付き歯ブラシ装置であって、前記歯ブラシは、前記通孔を有する握持部と、該握持部の先端部に着脱自在にかつ該握持部に対して略直角の軸心を中心に回動自在に取り付けられ前記握持部の通孔に連通する通孔を有するブラシ部とから成り、該通孔を通して前記ブラシ部より蒸気を噴射するようにしたことを特徴とする蒸気噴射機能付き歯ブラシ装置が開示されている。
【先行技術文献】
【特許文献】
【０００４】
【特許文献１】特開２００５−１８５４１０号公報
【発明の概要】
【発明が解決しようとする課題】
【０００５】
上記のように、清掃員が箒とともに水道ホースを用いて掃除をすると両手がふさがってしまって上手く箒を掃くことが出来ないため、２人の清掃員が共同して作業することが多く、生産性の向上の観点から１人の清掃員で上記のような作業を行えることが望まれる。
【０００６】
本発明の目的は、１人の清掃員のみで清掃具と水を用いて掃除をすることを可能とする清掃具用補助器具を提供することである。
【課題を解決するための手段】
【０００７】
本発明に係る清掃具用補助器具は、ユーザーが把持するための把持棒部と、前記把持棒部の先端に設けられる清掃部材とを有する清掃具の前記把持棒部に着脱可能な延伸部と、  前記延伸部の先端に設けられる散水ノズル部と、を備え、前記延伸部は、水道水を流通させるための延伸ホース部に嵌合可能な嵌合部を有し、前記散水ノズル部は、前記水道水を散水させる方向を変更可能な角度調整機構を有することを特徴とする。
【０００８】
また、本発明に係る清掃具用補助器具において、前記延伸部は、前記把持棒部に対して押圧力を与えることで前記把持棒部に装着し、前記押圧力と反対方向の引っ張り力を与えることで前記把持棒部から取り外し可能な着脱機構を有することが好ましい。
【０００９】
また、本発明に係る清掃具用補助器具において、前記角度調整機構は、前記ユーザーが前記把持棒部を把持して前記清掃具を用いて塵を掃く際に前記清掃部材の移動方向における前記清掃部材の前方に前記水道水を散水させるような角度に固定可能であることが好ましい。
【発明の効果】
【００１０】
本発明によれば、水を散水させる方向を変更可能な散水ノズルを清掃具の把持棒部に装着することができる。これにより、清掃員は１人で散水させながら清掃具で塵を掃くことができる。
【図面の簡単な説明】
【００１１】
【図１】本発明に係る実施形態の清掃具用補助器具を示す図である。
【図２】本発明に係る実施形態において、清掃員が清掃具用補助器具を用いて溝掃除を行っている様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、清掃具用補助器具１０を示す図である。図２は、清掃員７が清掃具用補助器具１０を用いて溝掃除を行っている様子を示す図である。
【００１４】
清掃具用補助器具１０は、ユーザーである清掃員７が１人で散水しながら箒１を用いて溝３２内などの塵を掃くことを可能とするための補助器具である。清掃具用補助器具１０は、延伸部１２と、散水ノズル部２０とを備えている。最初に、清掃具用補助器具１０の構成要素ではないが、清掃具用補助器具１０を説明するために必要な要素である箒１と延伸ホース部６などについて説明する。
【００１５】
箒１は、清掃員７が把持するための把持棒部２と、把持棒部２の先端に設けられる清掃部材４とを有する清掃具である。把持棒部２は、清掃員７が清掃する際に起立状態としたときに清掃員７が立ったまま握りやすい高さまで位置するのに好適な長さと、握りやすい太さとを有している。把持棒部２は、適度な強度を有する材質、例えば、プラスチック、木材、ステンレスなどで構成されている。
【００１６】
延伸ホース部６は、ゴムなどで構成されたホースであり、通常時は巻取部５に巻回されている。延伸ホース部６は、一方端が延伸部１２の嵌合可能であり、他方端が水道蛇口３に接続可能に構成されており、水道水を流通させる機能を有している。
【００１７】
清掃部材４は、延伸部１２の先端部で幅が広がるように構成された幅広部に装着される複数の毛状の穂を含んで構成される。穂は、適切な細さを有しつつ、かつ、柔軟性を有する部材、例えば、樹脂や木材などで構成することができる。
【００１８】
延伸部１２は、清掃具である箒１の把持棒部２に着脱可能である。延伸部１２は、水道水を流通させるための延伸ホース部６に嵌合可能な嵌合部１４を有している。
【００１９】
嵌合部１４は、延伸ホース部６の一方端に特別な嵌合機構が存在しないホースに対しては、ホース内に挿入可能な接続口の凸部を有することが好ましい。また、延伸ホース部６の一方端に着脱可能な嵌合用凹部が存在する場合は、これに着脱可能な嵌合用凸部を含んで構成される。
【００２０】
延伸部１２は、把持棒部２に対して押圧力を与えることで把持棒部２に装着し、押圧力と反対方向の引っ張り力を与えることで把持棒部２から取り外し可能な着脱機構１３を備えている。
【００２１】
着脱機構１３は、延伸部１２の上側と下側において、箒１の把持棒部２を挟持するように設けられている。着脱機構１３は、図１の上側の拡大図に示されるように、一対の挟持部が把持棒部２側に向かって伸びており、先端部の間の距離は把持棒部２の直径よりも若干小さく設定される。
【００２２】
着脱機構１３の一対の挟持部は適度な柔軟性を有する部材、例えば、シリコンやプラスチックなどで構成されているため、把持棒部２を押し付けることで、挟持部の先端が開き、把持棒部２が挟持部の先端を通過可能な状態となる。このまま先端を通過すると挟持部の復元力によって再び挟持部が閉じる。これにより、把持棒部２が着脱機構１３に装着することができる。
【００２３】
そして、着脱機構１３によって把持棒部２が挟持された状態で、延伸部１２と離間する方向に引っ張り力を与えると、挟持部の先端が開き、把持棒部２が挟持部の先端を通過可能な状態となる。このまま先端を通過して把持棒部２が挟持部から離間すると、挟持部の復元力によって再び挟持部が閉じる。これにより、把持棒部２が着脱機構１３に取り外しすることが出来る。
【００２４】
散水ノズル部２０は、延伸部１２の先端に設けられる。散水ノズル部２０は、水道水を散水させる方向を変更可能な角度調整機構１８を有する。
【００２５】
角度調整機構１８は、清掃員７が把持棒部２を把持して箒１を用いて塵を掃く際に清掃部材４の移動方向における清掃部材４の前方に水道水を散水させるような角度に固定可能である。具体的には、角度調整機構１８は、延伸部１２と散水ノズル部２０のノズルとを連結する自由雲台を用いて構成される。
【００２６】
自由雲台は、自由に回動可能な球体部と、球体部を保持する保持部と、球体部の動きを規制する規制部とを備え、例えば、カメラの三脚などで用いられている機構である。
【００２７】
散水ノズル部２０のノズルは、先端部から真っすぐに散水する場合とシャワー状に散水可能な場合とを切り換え可能な構成となっている。また、散水を停止するための停止レバーも備えている。
【００２８】
続いて、上記構成の清掃具用補助器具１０の作用について説明する。清掃員７は、清掃具用補助器具１０と箒１とを準備し、箒１の把持棒部２を清掃具用補助器具１０の延伸部１２側に押し付ける。そうすると、着脱機構１３の一対の挟持部が開いて箒１の把持棒部２を装着した状態で保持する。
【００２９】
これにより、清掃具用補助器具１０と箒１とを一体化することができる。したがって、清掃員７は一人で清掃具用補助器具１０と箒１の少なくとも一方を持った状態で水を流しながら箒１で塵を掃くことができる。
【００３０】
ここで、清掃具用補助器具１０の角度調整機構１８によれば、図２に示されるように、清掃員７が把持棒部２を把持して箒１を用いて塵を掃く際に清掃部材４の移動方向における清掃部材４の前方に水道水を散水させるような角度に固定可能である。
【００３１】
これにより、例えば、枯葉３０が溜まった溝３２内を清掃する際に、まず水圧で枯葉を押しのけながら箒１で掃くことができるため効率よく清掃することができる。さらに、清掃具用補助器具１０と箒１とを一体化しているため、この作業で一人の清掃員７で行うことができるという顕著な効果を奏する。
【００３２】
ここでは、清掃具用補助器具１０の装着対象は、箒１であるものとして説明したが、もちろん、その他の清掃具であってもよく、例えば、デッキブラシに装着することが可能である。
【００３３】
また、ここでは、溝３２を清掃するものとして説明したが、もちろん、溝３２以外の場所にも好適に用いることができ、例えば、車の洗車をする際にワンボックスカーの天井部など手が届きにくい場所に対しても散水しつつ清掃具をこすりつけることができるため、きれいに清掃することができる。
【符号の説明】
【００３４】
１  箒、２  把持棒部、３  水道蛇口、４  清掃部材、５  巻取部、６  延伸ホース部、７  清掃員、１０  清掃具用補助器具、１２  延伸部、１３  着脱機構、１４  嵌合部、１８  角度調整機構、２０  散水ノズル部、３０  枯葉、３２  溝。
【図１】
2019098105.tif 000003
【図２】
2019098105.tif 000004